(57)【要約】【課題】携帯型電子機器の使用時に、その背面の操作部の操作をも可能とする収納カバーを提供する。【解決手段】収納カバー１は前カバープレート２と後カバープレート３と電子機器９０に取り付け可能な取付部材４とを備える。前カバープレート２と後カバープレート３は、いずれも取付部材４に対する相対角度を変えることができるように、取付部材４に連結されている。【選択図】図１
2013016767.tif 000002
【特許請求の範囲】
【請求項１】
前面に表示画面を有し背面に操作部を有する携帯型電子機器の収納カバーであって、
前記電子機器の前面を覆うための前カバープレートと、
前記電子機器の背面を覆うための後カバープレートと、
前記電子機器の縁に取り付け可能な取付部材と、を備え、
前記前カバープレートと前記後カバープレートは、いずれも前記取付部材に対する相対角度を変えることができるように、前記取付部材に連結されている、
ことを特徴とする収納カバー。
【請求項２】
請求項１に記載の収納カバーにおいて、
前記前カバープレートの縁と前記後カバープレートの縁とを連結する第１連結部を含み、
前記取付部材は前記第１連結部に連結されている、
ことを特徴とする収納カバー。
【請求項３】
請求項２に記載の収納カバーにおいて、
前記取付部材から前記第１連結部に向かって伸びる第２連結部をさらに備える、
ことを特徴とする収納カバー。
【請求項４】
請求項１に記載の収納カバーにおいて、
前記前カバープレートと前記後カバープレートは、可撓性を有する連結部材を通して前記取付部材に連結されている、
ことを特徴とする収納カバー。
【請求項５】
請求項１乃至４のいずれかに記載の収納カバーにおいて、
前記取付部材は前記電子機器の前記縁に沿った方向に互いに離れて位置し、前記電子機器の前記縁に取り付け可能な少なくとも２つの取付部を有する、
ことを特徴とする収納カバー。
【請求項６】
請求項５に記載の収納カバーにおいて、
前記少なくとも２つの取付部は、前記電子機器の前記縁の両端に取り付け可能である、
ことを特徴とする収納カバー。
【請求項７】
請求項１乃至６のいずれかに記載の収納カバーにおいて、
前記取付部材は、当該取付部材が前記電子機器に固定されるように、前記電子機器に引っ掛かることができるように構成されている、
ことを特徴とする収納カバー。
【請求項８】
請求項７に記載の収納カバーにおいて、
前記取付部材は、前記電子機器の縁に形成された孔の縁に引っ掛かる取付部を有している、
ことを特徴とする収納カバー。
【請求項９】
請求項１に記載の収納カバーにおいて、
前記電子機器が前記後カバープレート上に配置されたときの取付部材の姿勢に当該取付部材を保持可能な保持部と、
前記後カバープレートを立てた状態に支持するスタンド部と、をさらに備える、
ことを特徴とする収納カバー。
【請求項１０】
請求項９に記載の収納カバーにおいて、
前記取付部材はフックを含み、
前記後カバープレートは前記保持部を有し、
前記フックは前記後カバープレートを立てた状態で前記取付部材の下方への移動を規制するよう前記保持部に引っ掛けることができる、
ことを特徴とする収納カバー。
【請求項１１】
請求項９に記載の収納カバーにおいて、
前記後カバープレートと前記前カバープレートは、それらの外面が互いに向き合う角度まで動かすことができるように互いに連結されており、
前記スタンド部は前記前カバープレートの内面に取り付けられている、
ことを特徴とする収納カバー。
【発明の詳細な説明】
【技術分野】
【０００１】
本発明は、前面に表示画面を有し背面にユーザが操作可能な操作部を備える携帯型電子機器の収納カバーに関する。
【背景技術】
【０００２】
従来、前面に表示画面を有する携帯型電子機器が利用されている（例えば、下記特許文献１）。この種の電子機器は、その持ち運びの際などに衝撃を受けたり塵や埃に曝される場合が多い。そのため、電子機器を保護するケースやカバーが従来利用されている。
【先行技術文献】
【特許文献】
【０００３】
【特許文献１】米国特許出願公開２００７／０２０２９５６号明細書
【発明の概要】
【発明が解決しようとする課題】
【０００４】
ところで、この種の電子機器の中には、電子機器の背面での作業が必要なものがある。例えば、上記特許文献１に開示される電子機器の背面には、記録媒体の受け入れ機構が設けられている。ユーザは電子機器の背面に設けられた蓋を開けることで、その受け入れ機構に記録媒体を挿入する。また、出願人は、電子機器の背面にタッチパネルを設けることも検討している。
【０００５】
本発明の目的は、電子機器の使用時に背面の操作部の操作をも可能とする収納カバーを提供することにある。
【課題を解決するための手段】
【０００６】
本発明に係る収納カバーは、前面に表示画面を有し背面に操作部を有する携帯型電子機器の収納カバーである。前記収納カバーは、前記電子機器の前面を覆うための前カバープレートと、前記電子機器の背面を覆うための後カバープレートと、前記電子機器の縁に取り付け可能な取付部材と、を備える。前記前カバープレートと前記後カバープレートは、いずれも前記取付部材に対する相対角度を変えることができるように、前記取付部材に連結されている。
【０００７】
本発明によれば、前カバープレートと後カバープレートの双方が電子機器に対して開いたり閉じたりできる。その結果、ユーザは電子機器の使用時に前面の表示画面を見るだけでなく、背面の操作部も操作できる。
【０００８】
なお、本発明において、前カバープレートと後カバープレートのうち一方のカバープレートは、他方のカバープレートを通して取付部材に連結されてもよい。例えば、取付部材は一方のカバープレートの上縁や下縁に連結され、他方のカバープレートは前記一方のカバープレートの右縁や左縁に連結され、この一方のカバープレートを通して取付部材に連結されてもよい。このような構造においても、２つのカバープレートの取付部材に対する角度を変えることは可能である。
【図面の簡単な説明】
【０００９】
【図１】本発明の一実施形態に係る収納カバーと、当該収納カバーによる収納が可能な携帯型電子機器の斜視図である。
【図２】上記電子機器の背面図である。
【図３】上記収納カバーの平面図である。
【図４】上記電子機器を収納した状態の収納カバーの側面図である。
【図５】上記電子機器を収納した状態の収納カバーの背面図である。
【図６】上記収納カバーが備える取付部材に設けられた取付部が電子機器に係合した様子を示す拡大斜視図である。
【図７】第２の例の収納カバーを開いた状態を示す斜視図である。
【図８】図７に示す収納カバーをスタンドとして機能させた状態を示す側面図である。
【図９】図７に示す収納カバーが備える取付部材１０４を示す図である。図９（ａ）は取付部材１０４の平面図であり、図９（ｂ）は取付部材１０４の取付部１４２の拡大図であり、図９（ｃ）は同図（ｂ）のｃ−ｃ線での断面図である。
【図１０】図９に示す取付部材が電子機器に取り付けられた状態を示す図である。
【発明を実施するための形態】
【００１０】
以下、本発明の一実施形態について図面を参照しながら説明する。図１は本発明の一実施形態に係る収納カバー１と、当該収納カバー１による収納が可能な携帯型電子機器９０の斜視図である。図２は電子機器９０の背面図である。図３は収納カバー１の平面図である。図４は電子機器９０を収納した状態の収納カバー１の側面図である。図５は電子機器９０を収納した状態の収納カバー１の背面図である。
【００１１】
図１に示すように、この例の電子機器９０は左右方向に細長い略直方体の機器である。電子機器９０はその前面に表示画面９１を有している。また、この例の電子機器９０はゲーム装置や、動画像再生装置、通信装置として機能する装置であり、表示画面９１の左右にユーザによる操作が可能な複数の操作部材を有している。具体的には、表示画面９１の右側には複数の操作ボタン９２Ａと、操作スティック９２Ｂとが配置されている。また、表示画面９１の左側には十字キー９２Ｃと、操作スティック９２Ｄとが配置されている。これらの操作部材９２Ａ〜９２Ｄは電子機器９０の前面から突出している。
【００１２】
また、電子機器９０は、その背面に、ユーザが操作可能な操作部を有している。この例
の電子機器９０は、図２に示すように、背面タッチパネル９３を操作部として有している。ユーザは、操作部材９２Ａ〜９２Ｄが設けられた電子機器９０の右側部分及び左側部分を保持しながら、背面に配置した中指や人差し指で背面タッチパネル９３を操作できる。ユーザは、背面タッチパネル９３上で指を動かすことにより、表示画面９１の画像をスクロールしたり、画像に描かれたポインターを移動させたりすることができる。さらに、この例の電子機器９０は、その背面に、カメラ９６を有している。ユーザは、操作部材９２Ａ〜９２Ｄのいずれかを操作することにより、背面の向いた方向をカメラ９６によって撮像できる。
【００１３】
収納カバー１は、図１及び図４に示すように、電子機器９０の前面を覆うための前カバープレート２と、電子機器９０の背面を覆うための後カバープレート３とを有している。カバープレート２，３は電子機器９０の前面，背面に対応した形状を有しており、前面，背面の全域を覆うことができる。この例の電子機器９０は弧状に湾曲した側面９０ａを有しており、カバープレート２，３の左右の縁２ａ，３ａも、側面９０ａに合わせて湾曲している。カバープレート２，３は、後述する連結部材５よりも高い剛性を有する板である。例えば、カバープレート２，３はプラスチック等で形成された基材を含む。基材の表面は化粧用のシートやクッション性を有するシートで覆われてもよい。なお、図４に示すように、収納カバー１による電子機器９０の収納時には、電子機器９０の側面９０ａは左右方向に露出している。
【００１４】
収納カバー１は、図１に示すように、電子機器９０の縁（この例では電子機器９０の下縁）９０ｂに取り付け可能な取付部材４を有している。取付部材４はカバープレート２，３に連結されている。カバープレート２，３は、いずれも取付部材４に対する相対角度を変えることができるように、取付部材４に連結されている。換言すると、カバープレート２，３は、これら２つのカバープレート２，３が開閉するように、いずれも取付部材４に対して相対的に動くことができる。なお、カバープレート２，３は取付部材４を通してのみ電子機器９０に接続可能となっている。そのため、カバープレート２，３は、後述するホルダーベルト１１を取り外した状態で、取付部材４に対するその角度を変えることができる。すなわち、収納カバー１を図４に示す状態から図１に示す状態に動かすことができる。収納カバー１のこのような構造によれば、ユーザは収納カバー１を電子機器９０に取り付けたまま、操作部材９２Ａ〜９２Ｄと背面タッチパネル９３とを操作できる。取付部材４とカバープレート２，３との相対角度変化を可能とする具体的な構造については、後において詳説する。
【００１５】
取付部材４は、図１及び図５に示すように、電子機器９０の下縁９０ｂに沿った方向（すなわち左右方向）に互いに離れて位置し、電子機器９０の下縁９０ｂに取り付け可能な複数（この例では２つ）の取付部４２を有している（以下においては、下縁９０ｂに沿った方向を単に左右方向と称する）。取付部材４のこの形状によれば、１つの取付部によって取付部材４を電子機器９０に取り付ける構造に比べて、取付部材４と電子機器９０との相対位置を安定させることができる。
【００１６】
この例の取付部材４は、図３に示すように、左右方向に細長い棒状のフレーム部４１を有している。取付部４２はフレーム部４１の両端に設けられている。そして、２つの取付部４２は、図１に示すように、電子機器９０の下縁９０ｂの両端に取り付け可能となっている。
【００１７】
取付部４２は電子機器９０に係合可能な構造を有している。すなわち、取付部４２は、取付部材４が電子機器９０に固定されるように、電子機器９０に引っ掛かることができる。そのため、ユーザは、他の部材や、工具を要することなく、取付部材４を電子機器９０に取り付けることができる。
【００１８】
この例の電子機器９０は、その下縁９０ｂの両端に固定孔９４を有している（図１及び図２参照）。この例の固定孔９４は電子機器９０の筐体を表示画面９１の厚さ方向に貫通する孔である。取付部４２は電子機器９０の固定孔９４の縁に引っ掛かることができるように形成されている。この例では、取付部４２は固定孔９４の内側に嵌るように形成され、固定孔９４の縁に引っ掛かることができる。固定孔９４は上述したように表示画面９１の厚さ方向に貫通する孔である。電子機器９０と取付部材４のこのような取付構造によれば、電子機器９０の使用時に取付部４２が電子機器９０から容易に外れることを抑えることができる。
【００１９】
つまり、電子機器９０は、その使用時、表示画面９１が前方に向く姿勢でユーザによって保持される。固定孔９４は表示画面９１の厚さ方向に電子機器９０を貫通する孔であるため、収納カバー１の重量が電子機器９０に対して作用する方向、すなわち鉛直方向は、取付部４２の固定孔９４への挿入方向に対して概ね直交することとなる。その結果、取付部４２が電子機器９０から取れることが抑えられる。なお、この例では、取付部４２は電子機器９０の背面から固定孔９４に嵌められる。
【００２０】
図６は取付部４２が電子機器９０に係合した様子を示す拡大斜視図である。この例の取付部４２は、その先端側が二又に分かれている。すなわち、取付部４２は、図６に示すように、フレーム部４１の端部から同じ方向に伸び互いに対向する一対の突起４２ａ，４２ｂを有している。一方の突起（この例では電子機器９０の中心寄りの突起）４２ａには、他方の突起４２ｂとは反対側に突出し固定孔９４の縁に引っ掛かることのできる爪部４２ｃが形成されている。取付部４２はこの爪部４２ｃによって固定孔９４に固定される。なお、このような爪部４２ｃは突起４２ｂにも形成されてよい。
【００２１】
突起４２ａ，４２ｂは互いに接近するように弾性変形可能となっている。すなわち、２つの突起４２ａ，４２ｂの間隔が縮小するように、それらは弾性変形可能となっている。取付部４２を固定孔９４に挿入する時には、２つの突起４２ａ，４２ｂの間隔が一時的に狭まるため、取付部４２を固定孔９４に通すことができる。突起４２ａ，４２ｂが固定孔９４に差し込まれた状態では、突起４２ａ，４２ｂは、それらの弾性力によって、固定孔９４の内面に押し付けられる。その結果、爪部４２ｃの固定孔９４への引っ掛かりが安定する。
【００２２】
この例の突起４２ａ，４２ｂは小さな板状に形成されている。図３に示すように、フレーム部４１の一方の端部に設けられた取付部４２の突起４２ａ，４２ｂと、他方の端部に設けられた取付部４２の突起４２ａ，４２ｂは左右方向と平行でなく、取付部材４の左右方向の中心線Ｃ１に向くようにそれぞれ傾斜している。そのため、取付部４２の大きさが固定孔９４に完全に合致していない場合であっても、取付部材４が電子機器９０に対して左右方向に位置ずれし難くなっている。
【００２３】
取付部４２とフレーム部４１は、後述する連結部材５よりも高い剛性を有する材料、例えば、プラスチックや金属によって形成されている。そのため、電子機器９０への取付強度として十分な強度を得ることが可能となる。２つの取付部４２とフレーム部４１はこれらプラスチック等によって一体的に形成されている。そのため、部品数の低減を図ることができる。
【００２４】
図４に示すように、フレーム部４１は、その長手方向（左右方向）に対して垂直な面を切断面とする断面として、弧状の断面を有している。すなわち、フレーム部４１は湾曲した断面を有している。そのため、フレーム部４１は、平らな断面を有する棒に比べて、曲がりにくくなっている。
【００２５】
この例では、図４に示すように、電子機器９０の背面の外周部９０ｃも湾曲している。フレーム部４１は外周部９０ｃに合わせて湾曲している。フレーム部４１は外周部９０ｃに近接して配置されている。そして、フレーム部４１は、電子機器９０が収納カバー１に収納された状態では、外周部９０ｃと後カバープレート３と、後述する第１連結部５１とによって囲まれるスペースＳに位置する。このように、電子機器９０と収納カバー１との間に形成される狭いスペースを有効に利用できるように、フレーム部４１は形成されている。
【００２６】
図１及び図３に示すように、収納カバー１はカバープレート２，３と取付部材４とを連結する連結部材５を有している。連結部材５は、前カバープレート２の縁と、当該前カバープレート２の縁と対向する後カバープレート３の縁とを連結する第１連結部５１を含んでいる。第１連結部５１は可撓性を有している。そのため、カバープレート２，３を容易に開閉できる。第１連結部５１は例えば、エラストマーやテキスタイルによって形成され得る。なお、２つのカバープレート２，３はこの第１連結部５１と、電子機器９０の収納時に使用される後述するホルダーベルト１１によってのみ連結されている。
【００２７】
この例の第１連結部５１は左右方向に細長いシート状である。図５に示すように、電子機器９０の収納時、第１連結部５１は電子機器９０の下面を覆う。電子機器９０の下面にはコネクタ９５が設けられている。第１連結部５１にはコネクタ９５を露出させるための孔５１ａが形成されている。コネクタ９５は例えばヘッドホンジャックである。また、コネクタ９５は電子機器９０を充電するための電線が接続される充電コネクタでもよい。
【００２８】
取付部材４は、後述する第２連結部５２を通して、第１連結部５１に連結されている。そのため、カバープレート２，３を図１に示すように開いた状態では、前カバープレート２から電子機器９０に作用する荷重と、後カバープレート３から電子機器９０に作用する荷重との間に、不均衡が生じることを抑えることができる。その結果、ユーザは、電子機器９０の使用時に、電子機器９０を快適に保持できる。
【００２９】
図１及び図３に示すように、連結部材５は第１連結部５１に加えて第２連結部５２を含んでいる。この例の第２連結部５２は取付部材４からカバープレート２，３に向かって伸びるベルト状である。そのため、カバープレート２，３を開いた状態では、カバープレート２，３は電子機器９０の下縁９０ｂから離れて位置する。その結果、電子機器９０の使用時に、カバープレート２，３が電子機器９０の操作の障害となることを抑えることができる。
【００３０】
図１及び図３に示すように、この例の連結部材５は左右方向において互いに離れて位置する複数（この例では２つ）の第２連結部５２を有している。２つの第２連結部５２は取付部材４のフレーム部４１の端部にそれぞれ連結されている。具体的には、この例の連結部材５は、フレーム部４１を保持する保持部５３を有している。２つの第２連結部５２の先端は保持部５３に接続されている。
【００３１】
第２連結部５２は、第１連結部５１と同様に、可撓性を有している。例えば、第２連結部５２はエラストマーやテキスタイルによって形成され得る。そのため、取付部材４を電子機器９０に固定しながらカバープレート２，３の双方を電子機器９０に対して開閉可能とするための構造が簡素化され得る。
【００３２】
上述したように、取付部材４は第２連結部５２を通して第１連結部５１に連結されている。図１及び図３に示すように、第２連結部５２と第１連結部５１との接続位置Ｐ１は、第１連結部５１によって連結される前カバープレート２の縁と後カバープレート３の縁の、概ね中間の位置である。そのため、前カバープレート２から電子機器９０に作用する荷重と、後カバープレート３から電子機器９０に作用する荷重とを均衡させることができる。なお、第２連結部５２は、接続位置Ｐ１からさらに伸び第１連結部５１に取り付けられる取付部５２ｂを有している。取付部５２ｂは、例えば、第１連結部５１に接着されたり、縫い付けられる。
【００３３】
上述したように、カバープレート２，３は、いずれも取付部材４に対する相対角度を変えることができるように、取付部材４に連結されている。この例では、第２連結部５２は、第１連結部５１に対する第２連結部５２の角度が変化できるように、接続位置Ｐ１で第１連結部５１に接続されている。具体的には、第２連結部５２は可撓性を有し、その取付部５２ｂは接着や縫合により第１連結部５１に取り付けられていることから、第２連結部５２は第１連結部５１に対してその角度を変えることができる。さらに、この例では、第２連結部５２は、取付部材４を保持する保持部５３に対する第２連結部５２の角度が自由に変化できるように、接続位置Ｐ２で保持部５３に繋がっている。この例では、保持部５３は、可撓性を有する材料によって第２連結部５２と一体的に形成されている。この構造により、第２連結部５２は保持部５３に対する角度を変えることができる。利用した、カバープレート２，３と取付部材４とを、このような第１連結部５１と第２連結部５２とを利用して連結することにより、カバープレート２，３は、この２つの接続位置Ｐ１，Ｐ２を中心として、取付部材４に対するその角度を変えることができる。
【００３４】
上述したように、収納カバー１は、カバープレート２，３の閉じた状態を維持するためのホルダーベルト１１を有している。図１及び図３に示すように、この例のホルダーベルト１１は、前カバープレート２を挟んで第１連結部５１とは反対側に設けられている。一方、後カバープレート３は、図４に示すように、ホルダーベルト１１の端部を固定するための取付部１１ａを有している。この例では取付部１１ａは後カバープレート３の外面３ａに設けられている。ホルダーベルト１１とその取付部１１ａは例えば面ファスナー（ベルクロ（登録商標））である。
【００３５】
図１及び図３に示すように、前カバープレート２は、その一方の面（カバープレート２，３を閉じたときに内側に向く面）に、プラスチックなどの剛性を有する材料を基材とする凸部１２を有している。凸部１２は前カバープレート２の左右方向の概ね中心に位置しており、電子機器９０の収納時には、右側の操作部材９２Ａ，２９Ｂと左側の操作部材９２Ｃ，９２Ｄとの間に位置する。図４に示すように、凸部１２の高さｈは複数の操作部材９２Ａ〜９２Ｄのうち最も高い操作部材の高さに対応している。この例では、凸部１２の高さｈは操作スティック９２Ｂ，９２Ｄの高さに対応している。そのため、電子機器９０の収納時に、前カバープレート２から操作スティック９２Ｂ，９２Ｄに大きな負荷がかかることを抑えることができる。
【００３６】
また、この例の凸部１２は厚板状で、そのサイズは概ね表示画面９１のサイズに対応している。そのため、電子機器９０の収納時に、前カバープレート２の外面に外力が作用した場合であっても、前カバープレート２が傾いたり、その一部が凹むことを防ぐことができる。
【００３７】
本発明の第２の例である収納カバー１００について説明する。収納カバー１００は電子機器９０のスタンドとして機能するよう構成されている。
【００３８】
図７は収納カバー１００を開いた状態を示す斜視図である。図８は収納カバー１００をスタンドとして機能させた状態を示す側面図である。図９は収納カバー１００が備える取付部材１０４を示す図である。図９（ａ）は取付部材１０４の平面図であり、図９（ｂ）は取付部材１０４の取付部１４２の拡大図であり、図９（ｃ）は同図（ｂ）のｃ−ｃ線での断面図である。図１０は取付部材１０４が電子機器９０に取り付けられた状態を示す図である。以下ではこれまで説明した例と同一箇所には同一符号を付し、その説明を省略する。
【００３９】
図７及び図８に示すように、収納カバー１００は、第１連結部５１を下側にして後カバープレート３を立てた状態で支持するスタンドプレート１２１を備えている。この例では、スタンドプレート１２１は、後において詳説するように、前カバープレート２に設けられている。また、収納カバー１００は、後カバープレート３の内面に取り付けられたフック保持部１３１を有している（ここで内面とは電子機器９０の収納時に当該電子機器９０の背面と対向する面である）。フック保持部１３１は、電子機器９０が後カバープレート３上に配置されたときの取付部材１０４の姿勢に当該取付部材１０４を保持できる（以下において、取付部材１０４のこの姿勢（図７及び図８に示す姿勢）を支持姿勢とする）。フック保持部１３１が取付部材１０４を保持することにより、収納カバー１００は電子機器９０を立てた状態で支持できる。
【００４０】
図７に示すように、この例のフック保持部１３１は左右方向に細長いベルト状であり、その両端部が後カバープレート３の内面に取り付けられている。後カバープレート３の第１連結部５１寄りの位置にフック保持部１３１は取り付けられている。一方、取付部材１０４はフレーム部４１の中央部にフック１４３を有し、フック１４３には嵌合部１４３ａが形成されている（図９（ａ）参照）。フック１４３は後カバープレート３を立てた状態で取付部材１０４の下方への移動を規制するよう保持ベルト１３１に引っ掛けることができる。この例では、収納カバー１００をスタンドとして機能させているとき、第１連結部５１が収納カバー１００の下側に位置する。そのため、フック１４３の嵌合部１４３ａは、第１連結部５１とは反対側から第１連結部５１に向けてフック保持部１３１に嵌めることができる。このようにフック保持部１３１にフック１４３を引っ掛けるという簡単な作業により、上述の支持姿勢に取付部材１０４を保持できる。なお、フック１４３をフック保持部１３１に引っ掛けていないときには、図１に示すように、後カバープレート３は電子機器９０の背面から離すことができる。その結果、収納カバー１００を電子機器９０に装着しながら、電子機器９０の背面タッチパネル９３の操作が可能となる。
【００４１】
図９（ａ）に示すように、この例のフック１４３は、フレーム部４１から張り出す一対のアーム部１４３ｂと、アーム部１４３ｂの端部を連結する連結部１４３ｃとを有している。嵌合部１４３ａは連結部１４３ｃからフレーム部４１に向かって伸びている。アーム部１４３ｂ、連結部１４３及び嵌合部１４３ａのそれぞれは板状であり、これらは概ね同一平面上に形成されている。そのため、嵌合部１４３ａをフック保持部１３１に嵌めているときに、フック１４３を後カバープレート３の内面に密着させることができる。その結果、取付部材１０４の後カバープレート３に対するぐらつきが防止され、電子機器９０を安定的に支持できる。また、フック１４３はフレーム部４１の中央部に形成されているので、１つのフックで電子機器９０をバランス良く支持できる。
【００４２】
取付部材１０４は、その両端に、上述の取付部４２に対応する取付部１４２を有している（図９（ａ）参照）。取付部１４２は、フック１４３がフック保持部１３１に引っ掛かっている状態で、後カバープレート３に対して立つように形成されている。すなわち、フック１４３は取付部４２の延伸方向と概ね直交する方向にフレーム部４１から張り出している。取付部１４２が後カバープレート３に対して立つように配置されているとき、電子機器９０は後カバープレート３に沿って配置される（図８参照）。
【００４３】
図７に示すように、収納カバー１００も第２連結部５２を有している。この例の第２連結部５２は左右に分割されており、それらの間にフック１４３が配置されている。第２連結部５２も可撓性を有するベルト状である。取付部材１０４はこの第２連結部５２を通して後カバープレート３に連結されている。取付部材１０４はこの第２連結部５２の可撓性を利用して支持姿勢まで動かすことができる。
【００４４】
後カバープレート３と前カバープレート２は、それらの外面が互いに向き合う角度まで動かすことができるように互いに連結されている（ここで外面とは収納カバー１００に電子機器９０を収納している時に外側に向く面である）。具体的には、後カバープレート３と前カバープレート２は第１連結部５１によって連結されている。第１連結部５１は上述したように可撓性を有しており、後カバープレート３と前カバープレート２は、この可撓性を利用して、それらの外面が互いに向き合う角度、すなわち、図８に示す姿勢まで回転させることができる。上述したように、収納カバー１００は、当該収納カバー１００をスタンドとして機能させるためのスタンドプレート１２１を有している。スタンドプレート１２１は前カバープレート２の内面に取り付けられている（ここで内面とは電子機器９０の収納時に当該電子機器９０の前面と対向する面である）。このような構造により、収納カバー１００をスタンドとして機能させるための脚、この例ではスタンドプレート１２１を、収納カバー１００の外面に設ける必要がなくなる。その結果、電子機器９０を収納カバー１００に収納しているときに、収納カバー１００の良好な外観を得ることができる。
【００４５】
スタンドプレート１２１は前カバープレート２の内面に対して開閉可能となっている。詳細には、図７に示すように、スタンドプレート１２１は、第１連結部５１とは反対側の縁に、取付部１２１ａを有している。取付部１２１ａは前カバープレート２に取り付けられている。スタンドプレート１２１は取付部１２１ａを中心にして開閉可能となっている（図８参照）。なお、この例でも、前カバープレート２の内面には凸部１２が設けられている。この例では、前カバープレート２はその中央部にスタンドプレート１２１を有し、その左右に凸部１２を有している。
【００４６】
図８に示すように、スタンドプレート１２１と前カバープレート２との間には、ストッパベルト１２２が配置されている。ストッパベルト１２２は、スタンドプレート１２１の取付部１２１ａから離れた位置と、前カバープレート２とを連結している。このストッパベルト１２２により、スタンドプレート１２１の前カバープレート２に対する開角度が制限される。なお、ストッパベルト１２２の中央部には折れ線（不図示）が形成されている。スタンドプレート１２１を前カバープレート２側に倒すときには、ストッパベルト１２２はこの折れ線で折れ曲がり、スタンドプレート１２１と前カバープレート２との間に収容される。
【００４７】
図７及び図８に示すように、この例においても、前カバープレート２には、ホルダーベルト１１が取り付けられている。ホルダーベルト１１は第１連結部５１とは反対側の縁から伸びている。一方、後カバープレート３の外面には、上述したように、ホルダーベルト１１を取り付けるための取付部１１ａが設けられている。そのため、前カバープレート２と後カバープレート３とを、それらの外面が互いに向き合うように配置した時には、ホルダーベルト１１を略Ｕ字形状に湾曲させることにより、取付部１１ａに取り付けることができる。その結果、前カバープレート２と後カバープレート３との相対的な位置を安定させることができる。
【００４８】
上述したように、前カバープレート２と後カバープレート３は第１連結部５１で連結されている。図８に示すように、第１連結部５１は、収納カバー１００をスタンドとして機能させているとき、略Ｕ字状に湾曲し、収納カバー１００の下側に位置する。そのため、第１連結部５１は収納カバー１００が配置される面に接する。そのため、収納カバー１００をスタンドとして利用しているとき、後カバープレート３は第１連結部５１上で支持される。このため、第１連結部５１を、電子機器９０への振動等の伝達を抑える緩衝部材として利用できる。この例の第１連結部５１は弾性材料（例えばゴム）を含んでいる。そのため、第１連結部５１の弾性を利用して、さらに良好な緩衝機能を得ることができる。
【００４９】
なお、スタンドプレート１２１を開いた状態では、スタンドプレート１２１の端部と、略Ｕ字形状の第１連結部５１の外面（下面）とに接線を形成することができる。これにより、第１連結部５１は収納カバー１００が配置される面に接する。また、この例の第２連結部５２は、図８に示すように、後カバープレート３と第１連結部５１との境、すなわち後カバープレート３の縁と第１連結部５１の縁とに取り付けられている。そのため、収納カバー１００をスタンドとして機能させているとき、収納カバー１００が配置される面には第１連結部５１が接し、第２連結部５２はその接触の障害とならない。
【００５０】
上述したように、取付部材１０４もその両端に、電子機器９０の固定孔９４（図６）に嵌めるための取付部１４２を有している。図９（ｂ）及び（ｃ）に示すように、取付部１４２は、取付部４２と同様に、互いに間隔を空けて形成された一対の突起１４２ａ，１４２ｂを含んでいる。突起１４２ａには電子機器９０の前面に引っ掛かる爪部１４２ｃが形成されている。図９（ｂ）に示すように、突起１４２ａは、電子機器９０に形成された固定孔９４の縁の形状に合わせて僅かに湾曲している。突起１４２ａの突起１４２ｂ側の面１４２ｄは凹んでいる。一方、突起１４２ｂの突起１４２ａに向いた面は、突起１４２ａの凹面１４２ｄに向けて膨らんでおり、突起１４２ｂの中央部の厚さＴはその両側に比して厚くなっている。その結果、突起１４２ｂの強度を向上でき、突起１４２ａの弾性力を増すことができている。
【００５１】
また、取付部１４２は、その基部に、爪部１４２ｃとは反対方向に突出する凸部１４２ｅを有している。この例の取付部１４２は２つの凸部１４２ｅを有している。凸部１４２ｅと爪部１４２ｃは、電子機器９０の厚さ方向において当該電子機器９０を挟む（図８参照）。すなわち、爪部１４２ｃは固定孔９４の前面側の縁に引っ掛かり、凸部１４２ｃは、固定孔９４の背面側の縁に引っ掛かる。
【００５２】
図１０に示すように、取付部材１０４が電子機器９０に取り付けられているとき、フレーム部４１は電子機器９０の下面に沿って配置される。電子機器９０の下面にはコネクタ９５，９７やマイク９８が設けられており、フレーム部４１はこれらを避けるように形成されている。この例のフレーム部４１には、マイク９８を避けるように、凹部４１ａが形成されている。
【００５３】
以上説明したように、収納カバー１，１００では、前カバープレート２と後カバープレート３は、いずれも取付部材４，１０４に対する相対角度を変えることができるように、取付部材４，１０４に連結されている。そのため、前カバープレート２と後カバープレート３が電子機器９０の前面と背面に対してそれぞれ開いたり閉じたりできる。その結果、ユーザは電子機器９０の使用時に前面の表示画面９１を見るだけでなく、背面のタッチパネル９３も操作できる。
【００５４】
また、収納カバー１，１００は、前カバープレート２の縁と後カバープレート３の縁とを連結する第１連結部５１を含み、取付部材４，１０４は第１連結部５１に連結されている。そのため、前カバープレート２から電子機器９０に作用する荷重と、後カバープレート３から電子機器９０に作用する荷重との間に、不均衡が生じることを抑えることができる。
【００５５】
また、収納カバー１，１００は、取付部材４，１０４から第１連結部５１に向かって伸びる第２連結部５２を備えている。そのため、電子機器９０の使用時に、カバープレート２，３が電子機器９０の操作の障害となることを抑えることができる。
【００５６】
また、前カバープレート２と後カバープレート３は、可撓性を有する連結部材５（すなわち連結部５１，５２）を通して取付部材４，１０４に連結されている。そのため、取付部材４，１０４を電子機器９０に固定しながらカバープレート２，３の双方を電子機器９０に対して開閉可能とするための構造が簡素化され得る。
【００５７】
また、取付部材４，１０４は、電子機器９０の下縁９０ｂに沿った方向に互いに離れて位置し、電子機器９０の下縁９０ｂに取り付け可能な２つの取付部４２，１４２を有している。この構造によれば、１つの取付部によって取付部材４を電子機器９０に取り付ける構造に比べて、取付部材４と電子機器９０との相対位置を安定させることができる。
【００５８】
また、２つの取付部４２，１４２は、電子機器９０の下縁９０ｂの両端に取り付け可能となっている。この構造によれば、取付部材４，１４２と電子機器９０との相対位置をさらに安定させることができる。
【００５９】
また、取付部材４，１０４は、当該取付部材４，１０４が電子機器９０に固定されるように、電子機器９０に引っ掛かることができるように構成されている。この構造によれば、取付部材４，１０４の電子機器９０への取り付け作業が容易となる。
【００６０】
また、取付部材４，１０４は、電子機器９０の縁に形成された固定孔９４の縁に引っ掛かる取付部４２，１４２を有している。この構造によれば、取付部材４，１０４の電子機器９０への取付強度を増すことが容易となる。
【００６１】
また、収納カバー１００は、電子機器９０が後カバープレート３上に配置されたときの取付部材１０４の姿勢に当該取付部材１０４を保持可能なフック保持部１３１と、後カバープレート３を立てた状態に支持するスタンドプレート１２１とを備えている。これにより、収納カバー１００をスタンドとして機能させることができる。
【００６２】
また、取付部材１０４はフック１４３を含み、後カバープレート３はフック保持部１３１を有し、フック１４３は後カバープレート３を立てた状態で取付部材１０４の下方への移動を規制するようフック保持部１３１に引っ掛けることができる。この構造によれば、簡単な作業で収納カバー１００をスタンドとして機能させることができる。
【００６３】
また、収納カバー１００では、後カバープレート３と前カバープレート２は、それらの外面が互いに向き合う角度まで動かすことができるように互いに連結されており、スタンドプレート１２１は前カバープレート２の内面に取り付けられている。これによれば、収納カバー１００によって電子機器９０を収納している時に、収納カバー１００の外観が良好になる。
【００６４】
また、収納カバー１００では、後カバープレート３の縁と前カバープレート２の縁は可撓性を有する第１連結部５１で連結され、第１連結部５１は後カバープレート３と前カバープレート２とを立てた状態でそれらの下側に位置する。これによれば、第１連結部５１を緩衝部材として機能させることができる。
【００６５】
なお、本発明は以上説明した収納カバー１に限られず種々の変更が可能である。
【００６６】
例えば、以上の説明では、連結部材５は第２連結部５２を有していた。しかしながら、連結部材５は必ずしも第２連結部５２を有していなくてもよい。つまり、第１連結部５１が直接的に取付部材４に連結されてもよい。
【００６７】
また、以上の説明では、第２連結部５２は第１連結部５１に接続されていた。しかしながら、第２連結部５２は前カバープレート２の縁や後カバープレート３の縁に接続されてもよい。
【００６８】
また、前カバープレート２と後カバープレート３のうち一方のカバープレートは、他方のカバープレートを通して取付部材４に連結されてもよい。例えば、取付部材４は前カバープレート２の下縁に連結され、後カバープレート３は前カバープレート２の右縁や左縁に連結され、前カバープレート２を通して取付部材４に連結されてもよい。このような構造では、後カバープレート３は前カバープレート２の右縁又は左縁を中心にしてその角度を変化させることにより、結果的に取付部材４に対するその角度を変えることができる。
【符号の説明】
【００６９】
１，１００  収納カバー、２  前カバープレート、３  後カバープレート、４，１０４  取付部材、５  連結部材、１１  ホルダーベルト、４１  フレーム部、４２，１４２  取付部、５１  第１連結部、５２  第２連結部、５３  保持部、９０  携帯型電子機器、９１  表示画面、９３  背面タッチパネル、９４  固定孔、９５，９７  コネクタ，９８  マイク，１３１  ホルダー部、１４３  フック、１２１  スタンドプレート。
【図１】
2013016767.tif 000003
【図２】
2013016767.tif 000004
【図３】
2013016767.tif 000005
【図４】
2013016767.tif 000006
【図５】
2013016767.tif 000007
【図６】
2013016767.tif 000008
【図７】
2013016767.tif 000009
【図８】
2013016767.tif 000010
【図９】
2013016767.tif 000011
【図１０】
2013016767.tif 000012
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
前面に表示画面を有し背面に操作部を有する携帯型電子機器の収納カバーであって、
前記電子機器の前面を覆うための前カバープレートと、
前記電子機器の背面を覆うための後カバープレートと、
前記電子機器の下縁に取り付け可能な取付部材と、を備え、
前記前カバープレートと前記後カバープレートは、いずれも前記取付部材に対する相対角度を変えることができるように、前記取付部材に連結されている、
ことを特徴とする収納カバー。
【請求項２】
請求項１に記載の収納カバーにおいて、
前記前カバープレートと前記後カバープレートとを連結する第１連結部と、
前記取付部材から前記第１連結部に向かって伸び、第１の接続位置で第１連結部に接続され、前記第１の接続位置から離れた第２の接続位置で前記取付部材に接続される第２連結部と、をさらに含み、
前記前カバープレートと前記後カバープレートは前記第１の接続位置と前記第２の接続位置とを中心として、前記取付部材に対して動くことができる、
ことを特徴とする収納カバー。
【請求項３】
請求項２に記載の収納カバーにおいて、
前記第２連結部は可撓性を有する材料で形成されている、
ことを特徴とする収納カバー。
【請求項４】
請求項１乃至３のいずれかに記載の収納カバーにおいて、
前記電子機器の下縁には、当該電子機器の前記前面と前記背面とが対向する方向において当該電子機器を貫通する固定孔が形成されており、
前記取付部材は、前記固定孔に嵌められ前記固定孔を貫通する取付部を含む、
ことを特徴とする収納カバー。
【請求項５】
請求項４に記載の収納カバーにおいて、
前記取付部材は、前記取付部として、前記電子機器の前記下縁に沿った方向に互いに離れて位置する少なくとも２つの取付部を有する、
ことを特徴とする収納カバー。
【請求項６】
請求項５に記載の収納カバーにおいて、
前記少なくとも２つの取付部は、前記電子機器の前記縁の両端に取り付け可能である、
ことを特徴とする収納カバー。
【請求項７】
請求項４に記載の収納カバーにおいて、
前記取付部材の前記取付部は、当該取付部材が前記電子機器に固定されるように、前記電子機器の前記固定孔の縁に引っ掛かることができるように構成されている、
ことを特徴とする収納カバー。
【請求項８】
請求項１に記載の収納カバーにおいて、
前記電子機器が前記後カバープレート上に配置されたときの取付部材の姿勢に当該取付部材を保持可能な保持部と、
前記後カバープレートを立てた状態に支持するスタンド部と、をさらに備える、
ことを特徴とする収納カバー。
【請求項９】
請求項８に記載の収納カバーにおいて、
前記取付部材はフックを含み、
前記後カバープレートは前記保持部を有し、
前記フックは前記後カバープレートを立てた状態で前記取付部材の下方への移動を規制するよう前記保持部に引っ掛けることができる、
ことを特徴とする収納カバー。
【請求項１０】
請求項８に記載の収納カバーにおいて、
前記後カバープレートと前記前カバープレートは、それらの外面が互いに向き合う角度まで動かすことができるように互いに連結されており、
前記スタンド部は前記前カバープレートの内面に取り付けられている、
ことを特徴とする収納カバー。